(57)【要約】      （修正有）【課題】エネルギー効率を良好に維持しながら自動変速機の迅速なダウンシフト変速を実現する。【解決手段】車両用駆動装置は、エンジン１と、自動変速機４と、エンジンの出力軸と自動変速機の出力軸とを断接する動力断接クラッチ２と、自動変速機の入力軸に連係された回生装置と、自動変速機のダウンシフト変速時に、動力断接クラッチを解放する第１変速制御部５２と、動力断接クラッチの解放以後に、エンジンの出力軸の回転数を同期回転数に向けて上昇させるエンジン制御部５１と、動力断接クラッチの解放期間中に回生装置のモードを駆動モードとして自動変速機の入力軸に正トルクを付与する回生制御部５３と、エンジンの出力軸の回転数が同期回転数まで上昇するのに応じて、自動変速機の摩擦締結要素の締結パターンを切り替えるとともに、動力断接クラッチを締結させる第２変速制御部５２とを備える。【選択図】図４
2018058481.tif 000002
【特許請求の範囲】
【請求項１】
エンジンと、
前記エンジンの出力回転を変速しつつ車輪側に伝達する自動変速機と、
前記エンジンの出力軸と前記自動変速機の入力軸とが一体に回転するように両者を連結する締結状態と当該連結を解除する解放状態とに切り替え可能な動力断接クラッチと、
前記自動変速機の入力軸に連係され、当該入力軸の回転力をエネルギーに変換して蓄える回生モードと、蓄えたエネルギーを利用して当該入力軸を駆動する駆動モードとに切り替え可能な回生装置と、
前記自動変速機のギヤ段を高ギヤ段から低ギヤ段に切り替えるダウンシフト変速時に、前記動力断接クラッチを解放する第１変速制御部と、
前記動力断接クラッチの解放以後に、前記エンジンの出力軸の回転数をダウンシフト後の減速比に対応した同期回転数に向けて上昇させるエンジン制御部と、
前記動力断接クラッチの解放期間中の少なくとも一部において、前記回生装置のモードを前記駆動モードとして前記自動変速機の入力軸に正トルクを付与する回生制御部と、
前記エンジンの出力軸の回転数が前記同期回転数まで上昇するのに応じて、前記自動変速機の摩擦締結要素を前記低ギヤ段が達成される締結パターンに切り替えるとともに、前記動力断接クラッチを締結させる第２変速制御部とを備えた、ことを特徴とする車両用駆動装置。
【請求項２】
請求項１に記載の車両用駆動装置において、
前記回生制御部は、前記摩擦締結要素の締結パターンの切り替えが完了するまで、前記回生装置のモードを前記駆動モードに維持する、ことを特徴とする車両用駆動装置。
【請求項３】
請求項２に記載の車両用駆動装置において、
前記回生制御部は、前記摩擦締結要素の締結パターンの切り替えが完了した時点で前記回生装置のモードを前記駆動モードから前記回生モードに切り替えて前記自動変速機の入力軸に逆トルクを付与する、ことを特徴とする車両用駆動装置。
【請求項４】
請求項３に記載の車両用駆動装置において、
前記回生制御部は、前記回生モードに切り替えられた前記回生装置から前記入力軸に付与される逆トルクが、前記摩擦締結要素の締結パターン切り替え完了の後で徐々に低下するように前記回生装置を制御する、ことを特徴とする車両用駆動装置。
【請求項５】
請求項１〜４のいずれか１項に記載の車両用駆動装置において、
前記回生装置は、前記入力軸に連係された油圧ポンプモータと、当該油圧ポンプモータに給排されるオイルが貯留される蓄圧器とを有し、
前記油圧ポンプモータは、前記入力軸により駆動されて前記蓄圧器にオイルを圧送するポンプとして作動する回生モードと、前記蓄圧器からオイルの供給を受けて前記入力軸を駆動するモータとして作動する駆動モードとに切り替え可能である、ことを特徴とする車両用駆動装置。
【発明の詳細な説明】
【技術分野】
【０００１】
本発明は、エンジンと、エンジンの出力回転を変速しつつ車輪側に伝達する自動変速機と、エンジンの出力軸と自動変速機の入力軸とを断接可能に連結する動力断接クラッチと、自動変速機の入力軸に連係された回生装置とを備えた車両用駆動装置に関する。
【背景技術】
【０００２】
上記のような駆動装置が適用された車両の一例として、下記特許文献１のものが知られている。具体的に、この特許文献１の車両用駆動装置は、エンジンと、自動変速機と、エンジンの出力軸と自動変速機の入力軸とを断接するクラッチと、自動変速機の入力軸を回転駆動する電気式のモータとを備えている。モータは、自動変速機の入力軸から駆動力を得て発電するジェネレータとして機能させることも可能である。
【０００３】
この特許文献１の車両において、自動変速機のギヤ段を高ギヤ段から低ギヤ段に切り替えるダウンシフト変速時には、クラッチが解放されるとともに、モータがジェネレータとして機能して回生発電が行われる。また、この回生発電の発電量（回生トルク）は、ダウンシフト変速時に締結状態が変化する摩擦締結要素（第１および第２の摩擦締結要素）への供給油圧等をパラメータとした所定の演算により決定される。これにより、ダウンシフト変速時の回生発電量を最大限に確保して燃費性能を改善できるとされている。
【先行技術文献】
【特許文献】
【０００４】
【特許文献１】特開２０１６−１３２４３２号公報
【発明の概要】
【発明が解決しようとする課題】
【０００５】
ここで、上記特許文献１では、ダウンシフト変速の動作中、第１の摩擦締結要素の締結力が複数の段階を経て徐々に減少させられるとともに、第２の摩擦締結要素が複数の段階を経て徐々に増大させられる。このように摩擦締結要素の締結パターンが比較的長い時間をかけて切り替えられるのは、車両の加速度の急変（変速ショック）等を抑制しながらダウンシフト変速中の回生発電量を十分に確保するためであると考えられる。
【０００６】
しかしながら、上記のような態様で摩擦締結要素を制御した場合には、ダウンシフト変速の要求が発せられてから締結パターンの切り替えが完了するまでに要する時間（ダウンシフト変速の所要時間）が長くなるという問題がある。しかも、各摩擦締結要素が比較的長い時間にわたってスリップすることになるので、当該スリップに伴い生じる摩擦熱等に起因したエネルギーロス（スリップロス）が増大するという問題もある。
【０００７】
本発明は、上記のような事情に鑑みてなされたものであり、エネルギー効率を良好に維持しながら自動変速機の迅速なダウンシフト変速を実現することが可能な車両用駆動装置を提供することを目的とする。
【課題を解決するための手段】
【０００８】
前記課題を解決するためのものとして、本発明は、エンジンと、前記エンジンの出力回転を変速しつつ車輪側に伝達する自動変速機と、前記エンジンの出力軸と前記自動変速機の入力軸とが一体に回転するように両者を連結する締結状態と当該連結を解除する解放状態とに切り替え可能な動力断接クラッチと、前記自動変速機の入力軸に連係され、当該入力軸の回転力をエネルギーに変換して蓄える回生モードと、蓄えたエネルギーを利用して当該入力軸を駆動する駆動モードとに切り替え可能な回生装置と、前記自動変速機のギヤ段を高ギヤ段から低ギヤ段に切り替えるダウンシフト変速時に、前記動力断接クラッチを解放する第１変速制御部と、前記動力断接クラッチの解放以後に、前記エンジンの出力軸の回転数をダウンシフト後の減速比に対応した同期回転数に向けて上昇させるエンジン制御部と、前記動力断接クラッチの解放期間中の少なくとも一部において、前記回生装置のモードを前記駆動モードとして前記自動変速機の入力軸に正トルクを付与する回生制御部と、前記エンジンの出力軸の回転数が前記同期回転数まで上昇するのに応じて、前記自動変速機の摩擦締結要素を前記低ギヤ段が達成される締結パターンに切り替えるとともに、前記動力断接クラッチを締結させる第２変速制御部とを備えた、ことを特徴とする車両用駆動装置である（請求項１）。
【０００９】
本発明によれば、ダウンシフト変速時にまず動力断接クラッチが解放されるとともに、その状態でエンジンの出力軸が同期回転数に向けて上昇させられるので、動力断接クラッチの解放に伴いフリーになったエンジンの出力軸の回転数を迅速かつ精度よく同期回転数まで上昇させることができる。また、動力断接クラッチの解放に伴い回生装置のモードが駆動モードとされるので、エンジンと切り離された自動変速機の入力軸に回生装置から正トルクを付与することにより、車両の加速度を動力断接クラッチの解放前の加速度と同等に維持することができる。さらに、エンジンの出力軸の回転数が同期回転数まで上昇してから動力断接クラッチが締結されるので、十分に加速されたエンジンの出力軸の回転が動力断接クラッチを介して自動変速機の入力軸に伝達されることにより、当該入力軸の回転数がエンジンの出力軸と同じ回転数まで短時間で上昇する。このため、ギヤ段変更のために自動変速機の摩擦締結要素の締結パターンを切り替える動作を、入力軸の回転上昇スピードに合わせた比較的速いスピードで行うことができ、当該切り替えを迅速に完了させてダウンシフト後の低ギヤ段を達成することができる。しかも、このような締結パターン切り替えの迅速化は、摩擦締結要素のスリップロス、つまり摩擦板どうしの相対回転に伴い生じる摩擦熱等に起因したエネルギーロスが低減されることを意味する。したがって、本発明によれば、ダウンシフト変速に要する時間を短縮できる上に、スリップロスを低減してエネルギー効率を向上させることができる。
【００１０】
好ましくは、前記回生制御部は、前記摩擦締結要素の締結パターンの切り替えが完了するまで、前記回生装置のモードを前記駆動モードに維持する（請求項２）。
【００１１】
この構成によれば、締結パターンの切り替え完了まで回生装置から自動変速機の入力軸に継続的に正トルクが付与されるので、自動変速機の入力軸の回転数がエンジンの出力軸と同じ回転数まで上昇するのに要する時間をさらに短縮することができる。これにより、ダウンシフト変速の迅速化とスリップロスの低減とをさらに促進することができる。
【００１２】
前記構成において、より好ましくは、前記回生制御部は、前記摩擦締結要素の締結パターンの切り替えが完了した時点で前記回生装置のモードを前記駆動モードから前記回生モードに切り替えて前記自動変速機の入力軸に逆トルクを付与する（請求項３）。
【００１３】
この構成によれば、締結パターンの切り替え完了に伴って回生モードに切り替えられた回生装置から自動変速機の入力軸に逆トルク（ブレーキ）が付与されるので、ダウンシフト変速による減速比の増大に伴い車両の加速度が急変する変速ショックの発生を効果的に抑制することができる。しかも、回生装置を用いて変速ショックを抑制するので、ダウンシフト変速のたびに入力軸の回転力をエネルギーに変換して蓄えることができ、蓄えたエネルギーを別の機会に仕事として取り出すことができる。
【００１４】
前記構成において、より好ましくは、前記回生制御部は、前記回生モードに切り替えられた前記回生装置から前記入力軸に付与される逆トルクが、前記摩擦締結要素の締結パターン切り替え完了の後で徐々に低下するように前記回生装置を制御する（請求項４）。
【００１５】
このように、締結パターンの切り替え完了後に入力軸に付与される逆トルクを徐々に低下させた場合には、例えば逆トルクを急にゼロまで低下させたような場合と異なり、入力軸の回転数が急変するのを回避できるので、当該回転数の急変により車両の挙動が不安定になるのを防止することができる。
【００１６】
好ましくは、前記回生装置は、前記入力軸に連係された油圧ポンプモータと、当該油圧ポンプモータに給排されるオイルが貯留される蓄圧器とを有し、前記油圧ポンプモータは、前記入力軸により駆動されて前記蓄圧器にオイルを圧送するポンプとして作動する回生モードと、前記蓄圧器からオイルの供給を受けて前記入力軸を駆動するモータとして作動する駆動モードとに切り替え可能である（請求項５）。
【００１７】
この構成によれば、入力軸の回転力を油圧のエネルギーに変換して蓄圧器に蓄えることができるとともに、蓄圧器に蓄えられた油圧のエネルギーを利用して入力軸を駆動することができる。
【発明の効果】
【００１８】
以上説明したように、本発明の車両用駆動装置によれば、エネルギー効率を良好に維持しながら自動変速機の迅速なダウンシフト変速を実現することができる。
【図面の簡単な説明】
【００１９】
【図１】本発明の一実施形態にかかる駆動装置が適用された車両の全体構成を概略的に示す平面図である。
【図２】油圧ポンプモータの回路構成を示す回路図である。
【図３】油圧ポンプモータの作動状態を説明するための図であり、（ａ）はポンプとして作動する回生モードのときのオイルの流れを、（ｂ）はモータとして作動する駆動モードのときのオイルの流れをそれぞれ示している。
【図４】上記駆動装置の制御系統を示すブロック図である。
【図５】自動変速機のギヤ段を低くするダウンシフト変速時の制御動作を説明するためのフローチャートである。
【図６】上記ダウンシフト変速時の制御動作を説明するためのタイムチャートである。
【発明を実施するための形態】
【００２０】
（１）車両の全体構成
図１は、本発明の一実施形態にかかる駆動装置が適用された車両の全体構成を概略的に示す平面図である。本図に示される車両は、走行用の動力源として設けられた火花点火式ガソリンエンジンからなるエンジン１と、エンジン１の出力回転を車輪７に伝達する動力伝達経路に沿って設けられた動力断接クラッチ２、回生装置３、自動変速機４、差動装置５、およびドライブシャフト６とを備えている。なお、詳細は後述するが、回生装置３は、自動変速機４に入力される回転から油圧を生成し、生成した油圧により自動変速機４を介して車輪７を駆動することが可能である。このように、当実施形態の車両は、エンジン１とは異なる追加の動力源を備えており、いわゆるハイブリッド車両の一種ということができる。ただし、電気ではなく油圧を利用しているため、特に油圧ハイブリッド車両と呼ばれることもある。
【００２１】
エンジン１は、供給された燃料（ガソリン）を内部で燃焼させるエンジン本体１１と、エンジン本体１１で発生する燃焼のエネルギーを受けて回転する出力軸１２とを有している。
【００２２】
自動変速機４は、減速比の異なる複数のギヤ段を達成可能な有段式の変速機構１５と、エンジン１の出力軸１２と動力断接クラッチ２を介して同軸に連結された入力軸１６と、変速機構１５の出力ギヤと差動装置５とを連結する出力軸１７とを有している。入力軸１６の回転は、変速機構１５で達成されているギヤ段に応じた減速比で変速された後に出力軸１７に出力され、その出力が差動装置５に入力される。
【００２３】
動力断接クラッチ２は、エンジン１の出力軸１２と自動変速機４の入力軸１６とを断接可能に連結するものであり、出力軸１２と一体に回転するエンジン側摩擦板と、入力軸１６と一体に回転する変速機側摩擦板とを有している。動力断接クラッチ２は、これら両摩擦板を互いに圧接させた締結状態と、両摩擦板の圧接を解除した解放状態とに切り替え可能である。動力断接クラッチ２には、上記両摩擦板を圧接方向に駆動する図外のアクチュエータが設けられており、車両の走行状態等に応じて当該アクチュエータの駆動力が自動的に増減されることにより、上記締結状態および解放状態のいずれかが達成されるようになっている。
【００２４】
動力断接クラッチ２の締結状態では、上記両摩擦板が強い力で圧接されることにより、エンジン１の出力軸１２のトルクが自動変速機４の入力軸１６にロスなく伝達され、出力軸１２と入力軸１６とが一体に回転する。動力断接クラッチ２の解放状態では、出力軸１２から入力軸１６へのトルク伝達がなされないように上記両摩擦板の圧接力がゼロにされることにより、出力軸１２と入力軸１６とが完全に分断される。
【００２５】
差動装置５は、自動変速機４の出力軸１７の回転を左右の車輪７に分配するための装置であり、左右のドライブシャフト６の差回転を許容しつつ自動変速機４の出力軸１７と各ドライブシャフト６とを連動連結する従来周知のディファレンシャルギヤ機構を内蔵している。
【００２６】
回生装置３は、自動変速機４の入力軸１６に連係された油圧ポンプモータ１９と、油圧ポンプモータ１９にオイルを給排するための油圧回路２０とを有している。
【００２７】
油圧ポンプモータ１９は、油圧回路２０によるオイル給排制御に応じて、入力軸１６を駆動するモータとして作動する駆動モードと、入力軸１６により駆動されるポンプとして作動する回生モードとに切り替え可能とされている。
【００２８】
例えば、油圧ポンプモータ１９がポンプとして作動している回生モードでは、入力軸１６により油圧ポンプモータ１９が駆動され、当該ポンプモータ１９から油圧回路２０にオイルが圧送されて蓄圧状態で貯留される。すなわち、回生装置３は、ポンプとして作動する油圧ポンプモータ１９により、入力軸１６の回転力を油圧のエネルギーに変換し、変換した油圧のエネルギーを油圧回路２０（後述するアキュムレータ２２）に蓄える。
【００２９】
一方、油圧ポンプモータ１９がモータとして作動している駆動モードでは、油圧回路２０から供給されるオイルにより油圧ポンプモータ１９が駆動され、当該油圧ポンプモータ１９により入力軸１６が回転させられる。すなわち、回生装置３は、油圧ポンプモータ１９をモータとして作動させることにより、油圧回路２０に蓄えられていた油圧のエネルギーを、入力軸１６を回転させる仕事として取り出す。
【００３０】
図２は、油圧回路２０の詳細を示す回路図である。本図に示すように、油圧回路２０は、オイルを低圧状態で貯留するオイルパン２１と、オイルを蓄圧状態で貯留するアキュムレータ２２（請求項にいう「蓄圧器」に相当）と、油圧ポンプモータ１９がポンプとして作動する回生モードのときにオイルパン２１内のオイルを油圧ポンプモータ１９に送るための吸込み通路２３と、同じく回生モードのときに油圧ポンプモータ１９から吐出されたオイルをアキュムレータ２２に送るための吐出通路２４と、吐出通路２４と吸込み通路２３とをつなぐリターン通路２５と、油圧ポンプモータ１９がモータとして作動する駆動モードのときにアキュムレータ２２から油圧ポンプモータ１９にオイルを送るための供給通路２６と、同じく駆動モードのときに油圧ポンプモータ１９から排出されたオイルをオイルパン２１に送るための排出通路２７と、オイルの流通経路を切り替えるための第１・第２方向切替弁３０，３１と、吐出通路２４の途中部に設けられた逆止弁３２と、リターン通路２５の途中部に設けられた第１リニアソレノイド弁３３と、供給通路２６の途中部に設けられた第２リニアソレノイド弁３４とを有している。
【００３１】
オイルパン２１は、自動変速機４の内部を流通する作動油を貯留するオイルパンと同じものである。すなわち、自動変速機４の内部では、摩擦締結要素（後述するハイクラッチＣＬ１およびロークラッチＣＬ２）を駆動したり摺動部の潤滑を図るために使用される作動が常時流通している。このため、自動変速機４の下部には、当該作動油を貯留するためのオイルパンが取り付けられている。上記油圧回路２０のオイルパン２１は、この自動変速機４に元々備わっているオイルパンと同じものである。このため、上記油圧回路２０内のオイルは、自動変速機４内を流通する作動油の一部ということができる。
【００３２】
アキュムレータ２２は、従来周知のブラダ型アキュムレータであり、オイルを貯留するケースと、当該ケースへのオイルの給排を制御する給排弁と、上記ケースの内部に設けられ、気体を内側に封入する隔膜（ブラダ）とを有している。このようなアキュムレータ２２は、油圧ポンプモータ１９から上記ケース内に圧送されたオイルにより封入気体を圧縮することでオイルの圧力を高めるとともに、上記給排弁を開くことにより高圧のオイルを外部に放出することが可能である。
【００３３】
第１方向切替弁３０は、吸込み通路２３から油圧ポンプモータ１９に向かうオイルの流れと、供給通路２６から油圧ポンプモータ１９に向かうオイルの流れとのいずれかを選択的に許容するものである。第２方向切替弁３１は、油圧ポンプモータ１９から吐出通路２４に向かうオイルの流れと、油圧ポンプモータ１９から排出通路２７に向かうオイルの流れとのいずれかを選択的に許容するものである。これら方向切替弁３０，３１によるオイル流れの切り替えに応じて、油圧ポンプモータ１９がポンプとして作動する回生モードとモータとして作動する駆動モードとに切り替えられるようになっている。
【００３４】
図３（ａ）は、油圧ポンプモータ１９がポンプとして作動する回生モードのときのオイルの流れを示している。この回生モードでは、吸込み通路２３から油圧ポンプモータ１９に向かうオイルの流れが許容され、かつ油圧ポンプモータ１９から吐出通路２４に向かう流れが許容されるように、第１・第２方向切替弁３０，３１が駆動される。これにより、オイルパン２１に貯留されている低圧の油圧が吸込み通路２３を通じて油圧ポンプモータ１９に吸い込まれるとともに、油圧ポンプモータ１９から吐出された高圧のオイルが吐出通路２４を通じてアキュムレータ２２へと導かれる。このとき、リターン通路２５に設けられた第１リニアソレノイド弁３３のＤＵＴＹ比に応じて、吐出通路２４から吸込み通路２３へのオイルの戻し量を調整することが可能であり、これに伴って油圧ポンプモータ１９のポンプとしての仕事量を増減設定することが可能である。すなわち、吐出通路２４から吸込み通路２３へのオイルの戻し量が少なくされるほど、油圧ポンプモータ１９からアキュムレータ２２に圧送されるオイルの量が増えるので、油圧ポンプモータ１９のポンプとしての仕事量（負荷）が増大する。当該仕事量が増大すると、自動変速機４の入力軸１６から油圧ポンプモータ１９に付与すべきトルクが増大するので、入力軸１６にはより大きなブレーキがかかることになる。
【００３５】
一方、図３（ｂ）は、油圧ポンプモータ１９がモータとして作動する駆動モードのときのオイルの流れを示している。この駆動モードでは、供給通路２６から油圧ポンプモータ１９に向かうオイルの流れが許容され、かつ油圧ポンプモータ１９から排出通路２７に向かう流れが許容されるように、第１・第２方向切替弁３０，３１が駆動される。これにより、アキュムレータ２２に貯留されている高圧のオイルが供給通路２６を通じて油圧ポンプモータ１９に供給されるとともに、油圧ポンプモータ１９から排出されたオイルが排出通路２７を通じてオイルパン２１へと導かれる。このとき、供給通路２６に設けられた第２リニアソレノイド弁３４のＤＵＴＹ比に応じて、アキュムレータ２２から油圧ポンプモータ１９に供給されるオイルの量を調整することが可能であり、これに伴って油圧ポンプモータ１９のモータとしての仕事量を増減設定することが可能である。すなわち、アキュムレータ２２から油圧ポンプモータ１９へのオイルの供給量が多くされるほど、油圧ポンプモータ１９のモータとしての仕事量が増大する。当該仕事量が増大すると、自動変速機４の入力軸１６に油圧ポンプモータ１９から付与されるトルクが増大するので、入力軸１６の回転がより加速されることになる。
【００３６】
図１に示すように、自動変速機４の変速機構１５は、変速機ケースＣと、変速機ケースＣの内部に配設された第１ギヤセットＧＳ１および第２ギヤセットＧＳ２と、第１・第２ギヤセットＧＳ１，ＧＳ２による動力伝達経路を切り替えるために締結または解放されるハイクラッチＣＬ１およびロークラッチＣＬ２とを有している。
【００３７】
第１・第２ギヤセットＧＳ１，ＧＳ２は、それぞれ、従来周知のプラネタリギヤセットであり、互いに噛み合うサンギヤ、ピニオン、およびリングギヤと、ピニオンを支持するキャリヤとを有している。
【００３８】
ハイクラッチＣＬ１は、第１ギヤセットＧＳ１における所定の回転要素と入力軸１６とを互いに連結しており、ロークラッチＣＬ２は、第２ギヤセットＧＳ２における所定の回転要素と入力軸１６とを互いに連結している。
【００３９】
以上のような構造の変速機構１５を含む当実施形態の自動変速機４では、ハイクラッチＣＬ１およびロークラッチＣＬ２の締結／解放の組合せに応じて、減速比の異なる複数のギヤ段が達成可能とされている。例えば、後述するシフトレバーのポジション（シフトポジション）がＤレンジであるとき、自動変速機４では、車両の走行状態に応じて、少なくとも１速および２速の２つのギヤ段から自動的に適切なギヤ段が選択される。具体的には、ロークラッチＣＬ２が締結されかつハイクラッチＣＬ１が解放されることにより、１速が達成され、ロークラッチＣＬ２が解放されかつハイクラッチＣＬ１が締結されることにより、１速よりも減速比の小さい２速が達成される。
【００４０】
なお、当実施形態では、説明を簡単にするために１速または２速のみを例示するが、自動変速機４は、４速以上の最高ギヤ段から１速までの間の任意のギヤ段を達成可能な多段変速機であり得る。この場合、変速機構１５には、上記第１ギヤセットＧＳ１および第２ギヤセットＧＳ２以外の他の複数のギヤセットと、上記ハイクラッチＣＬ１およびロークラッチＣＬ２以外の他の複数の摩擦締結要素（クラッチまたはブレーキ）とが含まれる。
【００４１】
（２）制御系統
図４は、当実施形態の車両用駆動装置の制御系統を示すブロック図である。本図に示されるＰＣＭ５０は、エンジン１、回生装置３、および自動変速機４を統括的に制御するためのマイクロプロセッサであり、周知のＣＰＵ、ＲＯＭ、ＲＡＭ等から構成されている。
【００４２】
ＰＣＭ５０には、各種センサによる検出信号が入力される。例えば、エンジン１には、その出力軸１２の回転数つまりエンジン回転数を検出するエンジン回転センサＳＮ１が設けられており、当該エンジン回転センサＳＮ１による検出信号がＰＣＭ５０に逐次入力される。また、自動変速機４には、その入力軸１６の回転数を検出する入力軸回転センサＳＮ２が設けられており、当該入力軸回転センサＳＮ２による検出信号がＰＣＭ５０に逐次入力される。さらに、車両には、車両の走行速度（車速）を検出する車速センサＳＮ３と、車両を運転するドライバーにより操作される図外のアクセルペダルの開度（アクセル開度）を検出するアクセルセンサＳＮ４と、同じくドライバーにより操作される図外のシフトレバーのポジション（シフトポジション）を検出するシフトポジションセンサＳＮ５とが設けられており、これら車速センサＳＮ３、アクセルセンサＳＮ４、およびシフトポジションセンサＳＮ５による検出信号もＰＣＭ５０に逐次入力される。
【００４３】
ＰＣＭ５０は、上記各センサＳＮ１〜ＳＮ５から入力される信号に基づいて種々の判定や演算等を実行しつつ、エンジン１、回生装置３、および自動変速機４に含まれる各制御対象に制御用の信号を出力する。このような制御を実現するための機能的要素として、ＰＣＭ５０は、エンジン制御部５１と、変速制御部５２（請求項にいう「第１の変速制御部」および「第２の変速制御部」に相当）と、回生制御部５３とを含んでいる。
【００４４】
エンジン制御部５１は、エンジン１に備わる図外のインジェクタ（燃料噴射弁）や点火プラグ等と電気的に接続されており、エンジン１の出力トルクがドライバーの要求等に応じた適切な値になるように上記インジェクタや点火プラグを制御する。
【００４５】
変速制御部５２は、自動変速機４の内部を流通する作動油の流れを制御して各摩擦締結要素（ハイクラッチＣＬ１およびロークラッチＣＬ２）の締結／解放を切り替えるための図外のソレノイドバルブと電気的に接続されており、自動変速機４のギヤ段として車両の走行状態に応じた適切なギヤ段が得られるように上記ソレノイドバルブを制御する。また、変速制御部５２は、動力断接クラッチ２の摩擦板どうしを圧接させるアクチュエータと電気的に接続されており、シフトポジションや車両の走行状態等に応じて動力断接クラッチ２が適切に断接されるように上記アクチュエータを制御する。
【００４６】
回生制御部５３は、油圧回路２０における第１・第２方向切替弁３０，３１および第１・第２リニアソレノイド弁３３，３４と電気的に接続されており、車両の走行状態等に応じて油圧ポンプモータ１９がモータまたはポンプとして適切に作動するように上記各弁３０〜３４を制御する。
【００４７】
（３）ダウンシフト変速時の制御
次に、自動変速機４のギヤ段を２速から１速に切り替えるダウンシフト変速時にＰＣＭ５０（エンジン制御部５１、変速制御部５２、および回生制御部５３）により実行される制御動作について、図５のフローチャートおよび図６のタイムチャートを用いて説明する。
【００４８】
図５に示す制御がスタートすると、変速制御部５２は、自動変速機４のギヤ段を２速から１速に切り替えるダウンシフト変速の要求があるか否かを判定する（ステップＳ１）。例えば、変速制御部５２は、ギヤ段として２速が選択されている状態での車両走行中に、エンジン回転センサＳＮ１、車速センサＳＮ３、およびアクセルセンサＳＮ４により検出されるエンジン回転数、車速、およびアクセル開度の少なくともいずれかが変化して、これら各値の組合せにより定まる条件が１速を選択すべき条件に適合した場合に、ダウンシフト変速の要求が発せられたと判定する。
【００４９】
図６のタイムチャートでは、ダウンシフト変速の要求が発せられた時点をｔ１としている。この時点ｔ１の以前は、ギヤ段として２速が選択されているため、自動変速機４では、ハイクラッチＣＬ１が締結されかつロークラッチＣＬ２が解放されている。つまり、ハイクラッチＣＬ１には、これを完全に締結させるための高い油圧（ライン圧）Ｘが供給されるとともに、ロークラッチＣＬ２に供給される油圧はゼロとされている。また、動力断接クラッチ２は、時点ｔ１の以前において締結状態に維持されている。そして、この状態でドライバーがアクセルペダルを比較的大きく含み込むことにより、時点ｔ１においてダウンシフト変速の要求が発せられている。
【００５０】
上記ステップＳ１でＹＥＳと判定されてダウンシフト変速の要求があることが確認された場合、変速制御部５２は、動力断接クラッチ２を締結状態から解放状態に切り替える（ステップＳ２）。すなわち、変速制御部５２は、動力断接クラッチ２の摩擦板どうしの圧接力がゼロになるように動力断接クラッチ２のアクチュエータを制御することにより、エンジン１の出力軸１２から自動変速機４の入力軸１６にトルクが伝達されないように両者の連結を解除する。
【００５１】
また、上記ダウンシフト変速の要求に伴い、回生制御部５３は、油圧ポンプモータ１９のモードを駆動モードに切り替えて油圧ポンプモータ１９をモータとして作動させる（ステップＳ３）。すなわち、回生制御部５３は、図３（ｂ）に示したように、アキュムレータ２２→供給通路２６→油圧ポンプモータ１９→排出通路２７→オイルパン２１の順にオイルが流れるように第１・第２方向切替弁３０，３１を制御することにより、アキュムレータ２２から供給される高圧のオイルにより回転するモータとして油圧ポンプモータ１９を作動させる。
【００５２】
さらに、上記ダウンシフト変速の要求に伴い、エンジン制御部５１は、エンジン１の出力トルクが増大するようにエンジン１の各部を制御する（ステップＳ４）。すなわち、エンジン制御部５１は、エンジン１の各気筒にインジェクタ（燃料噴射弁）から噴射される燃料を増量する等の制御を実行することにより、エンジン１の出力トルクを増大させる。
【００５３】
図６のタイムチャートでは、ダウンシフト変速の要求があった時点ｔ１とほぼ同時に、動力断接クラッチ２が解放されるとともに、エンジン１の出力トルクを増大させる制御が開始され、さらに油圧ポンプモータ１９のモードが駆動モードに切り替えられている。動力断接クラッチ２の解放に伴いエンジン１の出力軸１２はフリーになり（それによりエンジン１の負荷が軽減され）、しかもエンジン１自身で発生するトルクは増大しているので、エンジン１の出力軸１２の回転数（下から３つ目のグラフの実線の波形）は、時点ｔ１から比較的急峻に上昇し始める。また、油圧ポンプモータ１９の軸トルク、より詳しくは油圧ポンプモータ１９から自動変速機４の入力軸１６に付与されるトルクは、時点ｔ１以前の値（ここではゼロ）からプラスに急上昇している。そして、時点ｔ１からほどなくして油圧ポンプモータ１９の軸トルクが＋Ｖ１まで増大し、その後しばらく一定値に維持されている。このプラスのトルク（正トルク）は、油圧ポンプモータ１９が入力軸１６の回転をアシストしていることを表している。
【００５４】
時点ｔ１で動力断接クラッチ２が解放されるのに伴い、それ以降はエンジン１の駆動力が自動変速機４の入力軸１６に入力されなくなるが、これに代えて油圧ポンプモータ１９から入力軸１６に正トルクが付与されることにより、入力軸１６への入力トルクが時点ｔ１以前と同等に維持されるととともに、入力軸１６の回転数（下から３つ目のグラフの１点鎖線の波形）が時点ｔ１以前と同様の傾向で推移する。図６において、時点ｔ１の前後にわたって車両の加速度が特に変化していないのはこのためである。回生制御部５３は、動力断接クラッチ２の解放前と同じ加速度で車両を走行させるために入力軸１６に付与すべき正トルク（＋Ｖ１）を演算により予め決定し、決定した正トルクが油圧ポンプモータ１９から発生するように、第２リニアソレノイド弁３４を制御して油圧ポンプモータ１９のモータとしての仕事量を調整する。
【００５５】
次いで、変速制御部５２は、エンジン１の出力軸１２の回転数がダウンシフト後のギヤ段（１速）の減速比に対応した回転数である同期回転数Ｎｘまで上昇したか否かを判定する（ステップＳ５）。同期回転数Ｎｘは、ギヤ段として１速が達成された場合に得られる減速比と、車速センサＳＮ３により検出される車両の現車速とに基づいて演算により求めることができる。変速制御部５２は、このようにして算出される同期回転数Ｎｘと、エンジン回転センサＳＮ１により検出される出力軸１２の回転数との比較に基づいて、出力軸１２の回転数が同期回転数Ｎｘに達したか否かを判定する。なお、図６のタイムチャートでは、出力軸１２の回転数が同期回転数Ｎｘに達した時点をｔ２としている。
【００５６】
上記ステップＳ５でＹＥＳと判定されてエンジン１の出力軸１２の回転数が同期回転数Ｎｘまで上昇したことが確認された場合、変速制御部５２は、動力断接クラッチ２を解放状態から締結状態に切り替える（ステップＳ６）。すなわち、変速制御部５２は、動力断接クラッチ２の摩擦板どうしが十分な力で圧接されるようにアクチュエータを駆動することにより、エンジン１の出力軸１２と自動変速機４の入力軸１６とが一体に回転するように両者を連結する。
【００５７】
上記のように動力断接クラッチ２を締結するステップＳ６の制御が開始されると、変速制御部５２は、これとほぼ同時に、ハイクラッチＣＬ１を締結状態から解放状態に切り替えるとともに、ロークラッチＣＬ２を解放状態から締結状態に切り替える（ステップＳ７）。すなわち、変速制御部５２は、ハイクラッチＣＬ１への供給油圧をライン圧Ｘからゼロまで低下させるとともに、ロークラッチＣＬ２への供給油圧をゼロからライン圧Ｘまで上昇させることにより、ハイクラッチＣＬ１を締結させかつロークラッチＣＬ２を解放させる。
【００５８】
次いで、変速制御部５２は、ロークラッチＣＬ２の締結が完了したか否かを判定する（ステップＳ８）。すなわち、変速制御部５２は、自動変速機４に内蔵されている油圧センサの検出値に基づいて、ロークラッチＣＬ２への供給油圧がライン圧Ｘに達した否かを調べ、ライン圧Ｘに達した時点でロークラッチＣＬ２の締結が完了したと判定する。なお、図６のタイムチャートでは、ロークラッチＣＬ２の締結が完了した時点（油圧がライン圧Ｘに達した時点）をｔ３としている。また、この時点ｔ３とほぼ同時に、ハイクラッチＣＬ１の解放が完了する（油圧がゼロになる）とともに、動力断接クラッチ２の締結が完了している。
【００５９】
上記ステップＳ８でＹＥＳと判定されてロークラッチＣＬ２の締結が完了したことが確認された場合、回生制御部５３は、油圧ポンプモータ１９のモードを駆動モードから回生モードに切り替えて油圧ポンプモータ１９をポンプとして作動させる（ステップＳ９）。すなわち、回生制御部５３は、図３（ａ）に示したように、オイルパン２１→吸込み通路２３→油圧ポンプモータ１９→吐出通路２４→アキュムレータ２２の順にオイルが流れるように第１・第２方向切替弁３０，３１を制御することにより、オイルパン２１からオイルを吸い上げて圧送するポンプとして油圧ポンプモータ１９を作動させる。このように油圧ポンプモータ１９がポンプとして作動することにより、油圧ポンプモータ１９からアキュムレータ２２にオイルが圧送され、アキュムレータ２２の圧力が高められる。言い換えると、入力軸１６の回転力が油圧のエネルギーに変換され、アキュムレータ２２に油圧として蓄えられる。
【００６０】
上記のように油圧ポンプモータ１９のモードが回生モードに切り替えられるのに伴い、図６のタイムチャートでは、油圧ポンプモータ１９の軸トルクがプラスからマイナスに転じ、マイナス側の最大値である−Ｖ２にまで直ちに低下している。このマイナスのトルク（逆トルク）は、油圧ポンプモータ１９が入力軸１６の回転にブレーキをかけていることを表している。回生制御部５３は、入力軸１６に適正なブレーキをかけるための逆トルク（−Ｖ２）を各種条件に応じて決定し、決定した逆トルクが油圧ポンプモータ１９から発生するように、第１リニアソレノイド弁３３を制御して油圧ポンプモータ１９のポンプとしての仕事量を調整する。なお、油圧ポンプモータ１９の軸トルクが＋Ｖ１から−Ｖ２まで低下するのに要する時間が無視できない場合には、この所要時間の分だけ上記ステップＳ９の制御（回生モードへの切り替え）の開始を早めることが必要である。この場合、例えば、ロークラッチＣＬ２への供給油圧の立ち上がり具合等に基づいて当該クラッチＣＬ２の締結完了タイミング（時点ｔ３）を予測し、その予測したタイミングよりも上記所要時間（軸トルクが−Ｖ２まで低下するのに要する時間）の分だけ早めたタイミングで、上記ステップＳ９の制御を開始するとよい。
【００６１】
次いで、回生制御部５３は、油圧ポンプモータ１９から入力軸１６に付与される逆トルクが徐々に低下するように、油圧ポンプモータ１９のポンプとしての仕事量を徐々に減少させる（ステップＳ１０）。なお、図６のタイムチャートでは、ロークラッチＣＬ２の締結完了時点ｔ３の直後において−Ｖ２にまで増大した逆トルクが、その後徐々に減少して、時点ｔ４においてゼロに達している。以上により、２速から１速へのダウンシフト変速が完了する。
【００６２】
（４）作用効果
以上説明したとおり、当実施形態では、自動変速機４のギヤ段を低くするダウンシフト変速、例えば２速から１速へのダウンシフト変速時（図５、図６参照）に、エンジン１の出力軸１２と自動変速機４の入力軸１６とを連結する動力断接クラッチ２が解放されるとともに、エンジン１の出力軸１２の回転数がダウシフト後の減速比（１速）に対応した同期回転数Ｎｘに向けて上昇するようにエンジン１が制御され、さらに、回生装置３（より詳しくはその油圧ポンプモータ１９）のモードが駆動モードとされて自動変速機４の入力軸１６に正トルクが付与される。そして、エンジン１の出力軸の回転数が同期回転数Ｎｘまで上昇するのに応じて、自動変速機４の摩擦締結要素（ハイクラッチＣＬ１およびロークラッチＣＬ２）を１速が達成される締結パターン（ＣＬ１解放、ＣＬ２締結）に切り替えられるとともに、動力断接クラッチ２が解放状態から締結状態に切り替えられる。このような構成によれば、エネルギー効率を良好に維持しながら、自動変速機４の迅速なダウンシフト変速を実現できるという利点がある。
【００６３】
すなわち、上記実施形態では、ダウンシフト変速時にまず動力断接クラッチ２が解放されるとともに、その状態でエンジン１の出力軸１２が同期回転数Ｎｘに向けて上昇させられるので、動力断接クラッチ２の解放に伴いフリーになったエンジン１の出力軸１２の回転数を迅速かつ精度よく同期回転数Ｎｘまで上昇させることができる。また、動力断接クラッチ２の解放に伴い油圧ポンプモータ１９のモードが駆動モードとされるので、エンジン１と切り離された自動変速機４の入力軸１６に油圧ポンプモータ１９から正トルクを付与することにより、車両の加速度を動力断接クラッチ２の解放前の加速度と同等に維持することができる。さらに、エンジン１の出力軸１２の回転数が同期回転数Ｎｘまで上昇してから動力断接クラッチ２が締結されるので、十分に加速されたエンジン１の出力軸１２の回転が動力断接クラッチ２を介して自動変速機４の入力軸１６に伝達されることにより、当該入力軸１６の回転数がエンジン１の出力軸１２と同じ回転数まで短時間で上昇する。このため、ギヤ段変更のために自動変速機４の摩擦締結要素の締結パターンを切り替える動作（つまりハイクラッチＣＬ１を解放しかつロークラッチＣＬ２を締結する動作）を、入力軸１６の回転上昇スピードに合わせた比較的速いスピードで行うことができ、当該切り替えを迅速に完了させてダウンシフト後の低ギヤ段（１速）を達成することができる。しかも、このような締結パターン切り替えの迅速化は、摩擦締結要素（ハイクラッチＣＬ１およびロークラッチＣＬ２）のスリップロス、つまり摩擦板どうしの相対回転に伴い生じる摩擦熱等に起因したエネルギーロスが低減されることを意味する。したがって、上記実施形態によれば、ダウンシフト変速に要する時間を短縮できる上に、スリップロスを低減してエネルギー効率を向上させることができる。
【００６４】
また、上記実施形態では、動力断接クラッチ２の解放に伴い駆動モードに切り替えられた油圧ポンプモータ１９が、ロークラッチＣＬ２の締結が完了するまで（つまり締結パターンの切り替えが完了する図６の時点ｔ３まで）駆動モードのまま維持されるので、油圧ポンプモータ１９から自動変速機４の入力軸１６に継続的に付与される正トルクの作用により、自動変速機４の入力軸１６の回転数がエンジン１の出力軸１２と同じ回転数まで上昇するのに要する時間（図６の時点ｔ２からｔ３までの時間）をさらに短縮することができる。これにより、ダウンシフト変速の迅速化とスリップロスの低減とをさらに促進することができる。
【００６５】
また、上記実施形態では、ロークラッチＣＬ２の締結が完了した時点（図６の時点ｔ３）で油圧ポンプモータ１９のモードが駆動モードから回生モードに切り替えられるので、回生モードに切り替えられた油圧ポンプモータ１９から自動変速機４の入力軸１６に逆トルク（ブレーキ）を付与することにより、ダウンシフト変速による減速比の増大に伴い車両の加速度が急変する変速ショックの発生を効果的に抑制することができる。
【００６６】
また、変速ショックを抑制するために油圧ポンプモータ１９が回生モード（ポンプとして作動するモード）に切り替えられて、この油圧ポンプモータ１９からアキュムレータ２２にオイルが圧送されるので、ダウンシフト変速のたびに入力軸１６の回転力を油圧のエネルギーに変換してアキュムレータ２２に蓄えることができ、蓄えたエネルギーを別の機会に仕事として取り出すことができる。このように、上記実施形態では、変速ショック対策のためにエネルギーが無駄に消費されることがなく、再利用可能なエネルギーとして回収されるので、車両のエネルギー効率を効果的に向上させることができる。
【００６７】
例えば、変速ショックの抑制は、点火タイミングをリタードしてエンジン１の出力トルクを一時的に低下させることでも達成可能であるが、この場合には点火リタードに伴ってエンジン１の燃費性能が悪化するという問題がある。これに対し、上記実施形態のように回生ブレーキを利用した場合には、回生したエネルギーを再利用できる上に、上記のような点火リタードが不要になるので、その意味でもエネルギー効率を高めることができる。
【００６８】
また、上記実施形態では、回生モードに切り替えられた油圧ポンプモータ１９から入力軸１６に付与される逆トルクが、ロークラッチＣＬ２の締結完了の後で徐々に低下するように油圧ポンプモータ１９が制御されるので、例えば入力軸１６への逆トルクを急にゼロまで低下させたような場合と異なり、入力軸１６の回転数が急変するのを回避することができ、当該回転数の急変により車両の挙動が不安定になるのを防止することができる。
【００６９】
（５）変形例
上記実施形態では、ダウンシフト変速の要求が発せられると、動力断接クラッチ２を解放させる制御と、油圧ポンプモータ１９のモードを駆動モードに切り替える制御と、エンジン１の出力軸１２の回転数を同期回転数Ｎｘに向けて上昇させる制御とをほとんど同時に開始したが、各制御の開始タイミングは必ずしも同時でなくてもよい。例えば、油圧ポンプモータ１９の駆動モードへの切り替えと、エンジン１の回転数上昇とを、動力断接クラッチ２の解放から所定の微小時間が経過した後に開始してもよい。
【００７０】
また、上記実施形態では、自動変速機４の摩擦締結要素（ハイクラッチＣＬ１およびロークラッチＣＬ２）の締結パターンの切り替えが完了するまで（図６の時点ｔ３まで）、油圧ポンプモータ１９のモードを駆動モードに維持したが、油圧ポンプモータ１９は、動力断接クラッチ２が解放されている期間中の少なくとも一部において駆動モードに設定されていればよく、締結パターン切り替え完了の少し手前で油圧ポンプモータ１９の駆動モードを解除してもよい。
【００７１】
また、上記実施形態では、自動変速機４の入力軸１６に正トルクまたは逆トルクを付与する手段として、油圧ポンプモータ１９とアキュムレータ２２とを含む回生装置３を設けたが、本発明における回生装置は、入力軸の回転力を再利用可能な何らかのエネルギーに変換して蓄える（これに伴い入力軸に逆トルクを付与する）ことができ、かつ蓄えたエネルギーを利用して入力軸を駆動する（正トルクを付与する）ことができるものであればよく、上記実施形態のような油圧式の回生装置３に限られない。例えば、回生装置は、入力軸の回転力を電気エネルギーに変換して蓄える回生モードと、蓄えた電気エネルギーを利用して入力軸を駆動する駆動モードとに切り替え可能な電気式の回生装置であってもよい。この場合、回生装置は、入力軸から駆動力を得て発電する回生モードと入力軸を駆動する駆動モードとに切り替え可能なモータジェネレータと、モータジェネレータで発電された電力を蓄電する充電モードと電力をモータジェネレータに供給する放電モードとに切り替え可能なキャパシタとを含んだものとすることができる。
【００７２】
また、上記実施形態では、車両を走行させるため動力源（油圧ポンプモータ１９以外のメインの動力源）として、火花点火式エンジンからなるエンジン１を車両に搭載したが、このようなエンジン１に限らず、ディーゼルエンジンやロータリーエンジンなど、種々のエンジンを動力源として使用可能である。
【符号の説明】
【００７３】
１  エンジン
２  動力断接クラッチ
３  回生装置
４  自動変速機
７  車輪
１２  （エンジンの）出力軸
１６  （自動変速機の）入力軸
１９  油圧ポンプモータ
２２  アキュムレータ（蓄圧器）
５１  エンジン制御部
５２  変速制御部（第１変速制御部、第２変速制御部）
５３  回生制御部
ＣＬ１  ハイクラッチ（摩擦締結要素）
ＣＬ２  ロークラッチ（摩擦締結要素）
Ｎｘ  同期回転数
【図１】
2018058481.tif 000003
【図２】
2018058481.tif 000004
【図３】
2018058481.tif 000005
【図４】
2018058481.tif 000006
【図５】
2018058481.tif 000007
【図６】
2018058481.tif 000008